(57)【要約】【課題】接点の位置をシェルの前端に近づけた構造を有するコネクタを提供すること。【解決手段】シェル４０のシェル主部５０の前端５２から延びるようにシェル接触部６０を形成する。シェル接触部６０は、シェル主部５０の前端５２の一部である起端部５４から前方に延びる折り返し部６２と、バネ部７０とを有している。バネ部７０は、折り返し部６２から後方に向かって延びる第１部７２と、前方に向かって延びる第２部７４と、第１部７２と第２部７４とを連結する連結部７６とを有している。第２部７４には、相手側コネクタの一部と接触する接点８０が設けられている。シェル４０の前端にはフロント保護部材が取り付けられる。フロント保護部材は、折り返し部６２の前方に位置する保護部を少なくとも有している。【選択図】図７
2015176853.tif 000002
【特許請求の範囲】
【請求項１】
前後方向において前側から後方に向かって少なくとも部分的に挿入された相手側コネクタと嵌合するコネクタであって、
前記コネクタは、コンタクトと、コンタクトを保持する保持部材と、シェルと、前記保持部材とは別体のフロント保護部材とを備えており、
前記シェルは、前記保持部材を少なくとも部分的に覆うシェル主部と、前記シェル主部と一体形成されたシェル接触部とを有しており、
前記シェル主部は、前端を有しており、
前記シェル主部の前記前端には起端部が含まれており、
前記シェル接触部は、折り返し部とバネ部とを有しており、
前記折り返し部は、前記シェルの前記起端部から前記前後方向において前方に突出すると共に、前記前後方向を含む面内においてＵ字状の断面を有しており、
前記バネ部は、前記折り返し部から後方に向かって延びる第１部と、前方に向かって延びる第２部と、前記第１部と前記第２部とを連結する連結部とを有しており、
前記第２部に、前記相手側コネクタの一部と接触する接点が設けられており、
前記フロント保護部材は、前記シェルに取り付けられており、且つ、前記折り返し部の前方に位置する保護部を少なくとも有している
コネクタ。
【請求項２】
請求項１記載のコネクタであって、
前記フロント保護部材は、前記前後方向と直交する面内において閉路を形成しており、前記コネクタを前側から見た場合に、前記シェル主部の前記前端の全体を隠すように位置している
コネクタ。
【請求項３】
請求項１又は請求項２記載のコネクタであって、
前記バネ部には、複数の前記第２部が設けられており、
前記複数の第２部の夫々に前記接点が設けられており、
前記複数の前記第２部は、前記前後方向と直交するピッチ方向において、互いに異なる位置に位置している
コネクタ。
【請求項４】
請求項１乃至請求項３のいずれかに記載のコネクタであって、
前記連結部は、前記第１部と前記第２部とを前記ピッチ方向において連結しており、
前記第１部と前記第２部とは、前記前後方向と直交するピッチ方向において互いに離れて位置している
コネクタ。
【請求項５】
請求項４記載のコネクタであって、
前記接点は、前記ピッチ方向において、前記折り返し部よりも大きなサイズを有している
コネクタ。
【請求項６】
請求項１乃至請求項５のいずれかに記載のコネクタであって、
前記フロント保護部材は、平坦な前端を有している
コネクタ。
【請求項７】
請求項１乃至請求項６のいずれかに記載のコネクタであって、
前記第２部は、前記接点の前側に位置する誘い部を有しており、
前記フロント保護部材は、前記コネクタを前側から見た場合に前記誘い部の前端を隠すように位置する座屈防止部を有している
コネクタ。
【請求項８】
請求項１乃至請求項７のいずれかに記載のコネクタであって、
前記第２部の前端は、前記前後方向において、前記起端部よりも前側に位置している
コネクタ。
【発明の詳細な説明】
【技術分野】
【０００１】
本発明は、相手側コネクタの一部と接触するシェル接触部を有するシェルを備えたコネクタに関する。
【背景技術】
【０００２】
例えば、特許文献１に開示されたコネクタ（図示せず）は、この種のシェルを備えている。図１０に示されるように、特許文献１のシェルは、主部の前端から折り返された折り返し部と、折り返し部から延びるバネ部とを有している。バネ部には、相手側シェル（図示せず）に接触する接点が設けられている。このように折り返し部を設けると、主部にバネ部形成のための切り込み（開口）を形成せずに済むので、シェルのシールド特性が損なわれることがない。
【先行技術文献】
【特許文献】
【０００３】
【特許文献１】特開２０１１−１５４９５４号公報
【発明の概要】
【発明が解決しようとする課題】
【０００４】
特許文献１のシェルでは、接点の位置がシェルの前端から離れ過ぎており、シェルの接点が相手側シェル（図示せず）と接続する前にコンタクト同士の接続が行われてしまう可能性がある。
【０００５】
そこで、本発明は、接点の位置をシェルの前端に近づけた構造を有するコネクタを提供することを目的とする。
【課題を解決するための手段】
【０００６】
本発明は、第１のコネクタとして、
前後方向において前側から後方に向かって少なくとも部分的に挿入された相手側コネクタと嵌合するコネクタであって、
前記コネクタは、コンタクトと、コンタクトを保持する保持部材と、シェルと、前記保持部材とは別体のフロント保護部材とを備えており、
前記シェルは、前記保持部材を少なくとも部分的に覆うシェル主部と、前記シェル主部と一体形成されたシェル接触部とを有しており、
前記シェル主部は、前端を有しており、
前記シェル主部の前記前端には起端部が含まれており、
前記シェル接触部は、折り返し部とバネ部とを有しており、
前記折り返し部は、前記シェルの前記起端部から前記前後方向において前方に突出すると共に、前記前後方向を含む面内においてＵ字状の断面を有しており、
前記バネ部は、前記折り返し部から後方に向かって延びる第１部と、前方に向かって延びる第２部と、前記第１部と前記第２部とを連結する連結部とを有しており、
前記第２部に、前記相手側コネクタの一部と接触する接点が設けられており、
前記フロント保護部材は、前記シェルに取り付けられており、且つ、前記折り返し部の前方に位置する保護部を少なくとも有している
コネクタを提供する。
【０００７】
また、本発明は、第２のコネクタとして、第１のコネクタであって、
前記フロント保護部材は、前記前後方向と直交する面内において閉路を形成しており、前記コネクタを前側から見た場合に、前記シェル主部の前記前端の全体を隠すように位置している
コネクタを提供する。
【０００８】
また、本発明は、第３のコネクタとして、第１又は第２のコネクタであって、
前記バネ部には、複数の前記第２部が設けられており、
前記複数の第２部の夫々に前記接点が設けられており、
前記複数の前記第２部は、前記前後方向と直交するピッチ方向において、互いに異なる位置に位置している
コネクタを提供する。
【０００９】
また、本発明は、第４のコネクタとして、第１乃至第３のいずれかのコネクタであって、
前記連結部は、前記第１部と前記第２部とを前記ピッチ方向において連結しており、
前記第１部と前記第２部とは、前記前後方向と直交するピッチ方向において互いに離れて位置している
コネクタを提供する。
【００１０】
また、本発明は、第５のコネクタとして、第４のコネクタであって、
前記接点は、前記ピッチ方向において、前記折り返し部よりも大きなサイズを有している
コネクタを提供する。
【００１１】
また、本発明は、第６のコネクタとして、第１乃至第５のいずれかのコネクタであって、
前記フロント保護部材は、平坦な前端を有している
コネクタを提供する。
【００１２】
また、本発明は、第７のコネクタとして、第１乃至第６のいずれかのコネクタであって、
前記第２部は、前記接点の前側に位置する誘い部を有しており、
前記フロント保護部材は、前記コネクタを前側から見た場合に前記誘い部の前端を隠すように位置する座屈防止部を有している
コネクタを提供する。
【００１３】
また、本発明は、第８のコネクタとして、第１乃至第７のいずれかのコネクタであって、
前記第２部の前端は、前記前後方向において、前記起端部よりも前側に位置している
コネクタを提供する。
【発明の効果】
【００１４】
バネ部が、折り返し部から後方に向かう第１部と、前方に向かって延びる第２部とを有していることから、折り返し部から接点までの距離を長くとることができると共に接点をシェルの前端により近づけることができる。
【００１５】
加えて、保護部が折り返し部の前方に位置し、折り返し部を保護することから、作業者が指などを折り返し部にひっかけてしまうことを抑制できる。
【図面の簡単な説明】
【００１６】
【図１】本発明の実施の形態によるコネクタを示す斜視図である。
【図２】図１のコネクタを示す正面図である。
【図３】図１のコネクタを示す分解斜視図である。
【図４】図１のシェル及びフロント保護部材を示す斜視図である。
【図５】図４のシェル及びフロント保護部材を示す正面図である。
【図６】図５のシェル及びフロント保護部材をVI--VI線に沿って示す断面図である。
【図７】図３のシェルの前端及びその近傍を示す拡大斜視図である。
【図８】図７のシェルの一部を示す拡大斜視断面図である。
【図９】図７のシェルの一部を示す他の拡大斜視断面図である。
【図１０】特許文献１のシェルの一部を示す斜視図である。
【発明を実施するための形態】
【００１７】
図１乃至図３を参照すると、本発明の実施の形態によるコネクタ１は、パドルボード５を介してケーブル（図示せず）に接続されるものであり、Ｘ方向（前後方向）において−Ｘ側（前側）から＋Ｘ側へ向かって（後方に向かって）少なくとも部分的に挿入された相手側コネクタ（図示せず）と嵌合するものである。図示されたコネクタ１は、導電体からなる複数のコンタクト１０と、絶縁体からなる保持部材２０と、導電体からなるグランド部材３０と、金属製のシェル４０と、絶縁体からなるフロント保護部材９０とを備えている。
【００１８】
コンタクト１０は２列に分けられている。保持部材２０は、主部材２２と、２つの副部材２４とからなる。副部材２４の夫々は、１列のコンタクト１０を保持している。主部材２２は、グランド部材３０と２つの副部材２４とをまとめて収容しており、グランド部材３０は、主部材２２内において、２つの副部材２４に挟まれている。
【００１９】
図３に示されるように、シェル４０は、一枚の金属板をプレスした後、プレスされた金属板を曲げ加工して形成されたものであり、保持部材２０を覆うシェル主部５０と、シェル主部５０と一体形成されたシェル接触部６０とを有している。
【００２０】
図３に示されるように、シェル主部５０は、Ｘ方向に延びる略筒状の形状を有している。また、シェル主部５０は、Ｙ方向（ピッチ方向）に長い、即ち、Ｚ方向（上下方向）に潰れたような形状を有している。図７乃至図９に示されるように、シェル主部５０の前端５２（−Ｘ側端部）には、複数の起端部５４と、複数の隣接部５６とが含まれている。隣接部５６は、起端部５４に隣接して位置しており、Ｘ方向と直交するＹＺ平面内において起端部５４よりも大きなサイズを有している。図７から理解されるように、本実施の形態において、起端部５４と隣接部５６とは２組に分けられている。一方の組は、＋Ｚ側（上側）に位置しており、他方の組は、−Ｚ側（下側）に位置している。＋Ｚ側に位置する組は、２つの起端部５４と３つの隣接部５６とを有している。同様に、−Ｚ側に位置する組は、２つの起端部５４と３つの隣接部５６とを有している。
【００２１】
図６乃至図９に示されるように、本実施の形態のシェル接触部６０は、＋Ｚ側（上側）と−Ｚ側（下側）の２つの部位からなり、夫々、シェル主部５０の前端５２から延びている。詳しくは、シェル接触部６０の各部位は、２つの折り返し部６２と、バネ部７０とを有している。
【００２２】
図７乃至図９から理解されるように、各折り返し部６２は、ＸＺ平面内においてＵ字状の断面を有するものであり、シェル主部５０の起端部５４から−Ｘ側（前方）に突出している。
【００２３】
各バネ部７０は、２つの第１部７２と、３つの第２部７４と、第１部７２と第２部７４とをＹ方向において連結する連結部７６とを有している。各第１部７２は、夫々、折り返し部６２から＋Ｘ側（後方）に向かって延びている。図示された第１部７２は、比較的小さく細長い板状の形状を有している。連結部７６は、第１部７２の＋Ｘ側端部（後端）からＹ方向に延びており、比較的大きく細長い板状の形状を有している。各第２部７４は、連結部７６から−Ｘ側（前側）に向かって延びている。１つのバネ部７０に含まれる複数の第２部７４は、Ｙ方向において互いに離間して配置されている。また、第２部７４と第１部７２とは、Ｙ方向において互いに異なる位置に位置している。
【００２４】
各第２部７４は、第１部７２と比較して幅広の板を「く」の字形状を有するように曲げ形成してなるものである。第２部７４のＺ方向内側の頂点は相手側コネクタ（図示せず）の一部（具体的には、相手側グランド部、相手側シールド部、相手側シェルなど）と接触する接点８０であり、接点８０の−Ｘ側（前側）には誘い部８２が設けられている。誘い部８２は、Ｘ方向と交差する面を有している。シェル４０の展開図を想像すると理解されるように、第２部７４と隣接部５６とは夫々対応している。例えば、図７から理解されるように、隣接部５６を折り返し部６２の−Ｘ側端部（前端）よりも＋Ｘ側（後側）に位置させたことから、第２部７４を比較的長めにとることができている。隣接部５６を起端部５４よりも更に＋Ｘ側に位置させれば第２部７４をより長くとることができるが、シェル４０の前端に大きな開口ができてしまう可能性があるので、本実施の形態のように、隣接部５６のＸ方向における位置と起端部５４のＸ方向における位置とを一致させることが好ましい。
【００２５】
図６に示されるように、第２部７４の前端８４（即ち、誘い部８２の前端）は、起端部５４よりも−Ｘ側（前側）に位置している。このことから理解されるように、接点８０の位置も比較的前側に位置している。
【００２６】
本実施の形態において、バネ部７０全体が接点８０を弾性支持するバネとして機能しており、そのバネのバネ長は、折り返し部６２から接点８０までの長さによって決まっている。即ち、単純に＋Ｘ側に向かって延びるバネと比較して、本実施の形態のバネ部７０は、接点８０を比較的前側に位置させつつ十分なバネ長を確保することができる。
【００２７】
図９を参照すると、複数の第２部７４がＹ方向において互いに離間配置されていることから理解されるように、本実施の形態においては、複数の接点８０がＹ方向において互いに異なる位置に位置している。従って、相手側コネクタ（図示せず）側の形状的バラつき等によらず、確実に接点８０を相手側コネクタ（図示せず）に接触させることができる。
【００２８】
また、各接点８０は、Ｙ方向において、折り返し部６２よりも大きなサイズを有している。従って、シェル４０を相手側コネクタ（図示せず）のグランド部等（図示せず）に比較的大きな面積で接触させることができる。
【００２９】
図４及び図５に示されるように、フロント保護部材９０は、Ｘ方向と直交するＹＺ平面内において閉路を形成している（即ち、閉じている）。具体的には、フロント保護部材９０は、−Ｘ側（前側）から見た場合に、扁平した環状の形状を有している。図４乃至図６から理解されるように、フロント保護部材９０は平坦な前端９２を有している。特に、本実施の形態のフロント保護部材９０の前端９２は、ＹＺ平面と平行な面を形成している。
【００３０】
図４及び図５に示されるように、フロント保護部材９０は、複数の保護部９４と、複数の座屈防止部９６とを有している。
【００３１】
図４及び図５から理解されるように、保護部９４は、夫々、折り返し部６２よりも−Ｘ側（前方）に位置している。図２、図４及び図５から理解されるように、本実施の形態の保護部９４は、コネクタ１を−Ｘ側（前方）から見た場合に折り返し部６２を完全に隠している。このように、フロント保護部材９０の保護部９４が折り返し部６２を保護していることから、突出している折り返し部６２が外部の物に引っ掛かりその物を傷つけてしまったり逆にシェル４０が破損してしまうといった事態を避けることができる。
【００３２】
図４に示されるように、座屈防止部９６は、夫々、第２部７４に対応して設けられている。具体的には、図６に示されるように、座屈防止部９６は、第２部７４の前端８４（即ち、誘い部８２の前端）よりも−Ｘ側（前方）に位置している。図２、図４及び図６から理解されるように、本実施の形態の座屈防止部９６は、コネクタ１を−Ｘ側（前方）から見た場合に第２部７４の前端８４を完全に隠している。従って、コネクタ１と相手側コネクタ（図示せず）との嵌合の際に、相手側コネクタ（図示せず）の一部が第２部７４の前端８４に突き当たり第２部７４が座屈してしまうことを防ぐことができる。
【００３３】
以上、本発明について具体的に説明してきたが、本発明はこれらに限定されるわけではなく、様々な変形等が可能である。
【００３４】
例えば、上述した実施の形態において、保持部材２０は主部材２２と副部材２４の計３つの部材に分割されていたが、本発明はこれに限定されるわけではなく、保持部材２０は単一の部材からなるものであってもよい。
【００３５】
また、上述した実施の形態のコネクタ１は、グランド部材３０を備えていたが、本発明はこれに限定されるわけではなく、コネクタ１はグランド部材３０を備えていなくともよい。
【００３６】
また、上述した実施の形態において、シェル接触部６０は、上下に分けられていたが、上側のみに形成し下側に押しつけることとしてもよい。
【００３７】
また、シェル接触部６０は、複数の折り返し部６２や接点８０を有していたが、本発明はこれに限定されるわけではなく、折り返し部６２や接点８０に関して数的な限定があるわけではない。但し、接触する際のバランスや上述した接触信頼性を考慮すると、折り返し部６２や接点８０は複数あった方が好ましい。
【００３８】
上述した実施の形態において、第１部７２と第２部７４とは、Ｙ方向において互いに異なる位置に位置していたが、本発明はこれに限定されるわけではなく、例えば、Ｚ方向において重なるように設けられていてもよい。但し、コネクタ１内のスペースの利用効率を高めるためには、本実施の形態のように、第１部７２と第２部７４とをＹ方向において互いに異なる位置に位置させて比較的平たいバネを構成することが好ましい。
【００３９】
上述した実施の形態において、フロント保護部材９０は閉路を形成していたが、本発明はこれに限定されるわけではない。例えば、フロント保護部材９０は２つに分割され、シェル接触部６０の＋Ｚ側（上側）の部位と、シェル接触部６０の−Ｚ側（下側）の部位とを夫々保護することとしてもよい。但し、シェル４０への取り付けを考慮すると、フロント保護部材９０は閉路を形成している方が好ましい。
【００４０】
フロント保護部材９０は、平坦な前端９２を有していたが、本発明はこれに限定されるわけではなく、例えば、ある程度の凹凸を有していてもよい。但し、前端９２は平坦である方が外部の物との関係では好ましい。
【００４１】
上述した実施の形態において、保護部９４は、コネクタ１を−Ｘ側（前方）から見た場合に折り返し部６２を完全に隠していたが、本発明はこれに限定されるわけではない。例えば、折り返し部６２への引っ掛かりを防止するように、保護部９４が折り返し部６２よりも−Ｘ側（前方）に位置しているのであれば、コネクタ１を−Ｘ側（前方）から見た場合に折り返し部６２が部分的に見えていてもよい。
【符号の説明】
【００４２】
１コネクタ
５        パドルボード
１０        コンタクト
２０        保持部材
２２        主部材
２４        副部材
３０        グランド部材
４０        シェル
５０        シェル主部
５２        前端
５４        起端部
５６        隣接部
６０        シェル接触部
６２        折り返し部
７０        バネ部
７２        第１部
７４        第２部
７６        連結部
８０        接点
８２        誘い部
８４        前端
９０        フロント保護部材
９２        前端
９４        保護部
９６        座屈防止部
【図１】
2015176853.tif 000003
【図２】
2015176853.tif 000004
【図３】
2015176853.tif 000005
【図４】
2015176853.tif 000006
【図５】
2015176853.tif 000007
【図６】
2015176853.tif 000008
【図７】
2015176853.tif 000009
【図８】
2015176853.tif 000010
【図９】
2015176853.tif 000011
【図１０】
2015176853.tif 000012